(57)【要約】【課題】放電セルの不灯の検出を高精度で実施する検査方法を有したプラズマディスプレイパネルの製造方法を提供する。【解決手段】プラズマディスプレイパネルの製造方法において、放電セルの表示状態を確認するステップを含む検査工程を有し、プラズマディスプレイパネルの通常の駆動方法および、前記放電セルの表示状態を確認するステップにおける駆動方法は、走査電極に緩やかな傾斜を持つ初期化波形を印加する初期化期間と、走査電極に初期化波形と逆極性の走査波形を順次に印加するとともに、アドレス電極に初期化波形と同極性のデータ波形を選択して印加する書き込み期間とを有し、かつ放電セルの表示状態を確認するステップにおける駆動方法は、初期化期間もしくは書込み期間の少なくともいずれかの期間に、維持電極に印加する電圧の設定値を変化させて行うことを特徴とする。【選択図】図３
2010251146.tif 000002
【特許請求の範囲】
【請求項１】
前面基板上に複数の対となる走査電極および維持電極が配列され、背面基板上に複数のアドレス電極が配列され、前記走査電極および前記維持電極とアドレス電極とが直交するように、前記前面基板と前記背面基板とを対向配置して放電セルを形成したプラズマディスプレイパネルの製造方法において、
前記放電セルの表示状態を確認するステップを含む検査工程を有し、
前記プラズマディスプレイパネルの通常の駆動方法および、前記放電セルの表示状態を確認するステップにおける駆動方法は、
前記走査電極に緩やかな傾斜を持つ初期化波形を印加する初期化期間と、
前記走査電極に前記初期化波形と逆極性の走査波形を順次に印加するとともに、前記アドレス電極に前記初期化波形と同極性のデータ波形を選択して印加する書き込み期間とを有し、
かつ前記放電セルの表示状態を確認するステップにおける駆動方法は、前記初期化期間もしくは前記書込み期間の少なくともいずれかの期間に、前記維持電極に印加する電圧の設定値を変化させて行うことを特徴とするプラズマディスプレイパネルの製造方法。
【請求項２】
前記放電セルの表示状態を確認するステップにおける駆動方法は、前記書込み期間に、前記アドレス電極に印加する電圧の設定値を変化させて行うことを特徴とする請求項１に記載のプラズマディスプレイパネルの製造方法。
【請求項３】
前記放電セルの表示状態を確認するステップにおける駆動方法は、前記初期化期間もしくは前記書込み期間の少なくともいずれかの期間に、前記維持電極に印加する電圧の設定値を、前記通常の駆動方法において、前期期間、前記維持電極に印加する電圧の設定値よりも低くして行うことを特徴とする請求項１または請求項２のいずれかに記載のプラズマディスプレイパネルの製造方法。
【発明の詳細な説明】
【技術分野】
【０００１】
本発明は、プラズマディスプレイパネルの製造工程におけるプラズマディスプレイパネルの製造方法に関する。
【背景技術】
【０００２】
近年、薄くて大画面の平面型表示デバイスとしてプラズマディスプレイパネル（以下、ＰＤＰと略記する）が注目されており、３電極を備えた面放電形式のＡＣ型ＰＤＰがその代表的な構造である。ＡＣ型ＰＤＰは、横方向に伸びた走査電極および維持電極を複数対配列された前面板と、縦方向に伸びた複数のデータ電極を配列された背面板とが隔壁を介して対向配置され、その間に放電空間を形成するように構成されている。そして、１対の走査電極および維持電極とアドレス電極とが立体交差した部分に、隔壁で仕切られた放電セルが形成されている。
【０００３】
ＰＤＰを駆動する方法としてはサブフィールド法、すなわち、映像信号の１フィールド期間を輝度の重み付けを有する複数のサブフィールドに分割し、放電を起こすサブフィールドを組み合わせることで映像信号の階調を表示する方法が一般的である。ここで、サブフィールドは、放電セル内に所定の壁電荷を形成するための初期化放電を発生させる初期化期間、点灯させるべき放電セルを選択する書き込み放電を発生させる書き込み期間、および選択した放電セルにおいて維持放電を発生させる放電維持期間を有する。そして維持放電に伴う発光により画像を表示する。
【０００４】
一般にＰＤＰは駆動回路が実装され製品化される。製造工程では、回路実装工程への不良品の流出を防ぐため、駆動回路を実装する前にＰＤＰに点灯信号を入力し、点灯検査を行っている。
【０００５】
そして、ＰＤＰの検査においては、駆動波形を各電極に印加し、画像を表示させて検査を実施する。検査項目には、画像表示に必要な電圧値を測定する電圧検査、輝度・色度・色温度を測定する画質検査、その他、色班等の画像表示不具合や放電セルの異常点灯・不灯の存在を確認する表示不良検査等が行われる。そして、ＰＤＰの点灯検査方法としては、例えば特許文献１に記載された技術などが知られている。
【０００６】
また、ここまでの説明においては、点灯検査は駆動回路実装前と簡単に説明したが、その実施する工程については、エージング後、前面板フィルタ貼り合わせ後、フレキシブルプリント基板の実装後、など、必要に応じて実施される。また、必要に応じて実施されるそれぞれの点灯検査は、その検査項目についても、前述した項目の中から、必要な項目のみの検査を実施することもある。
【先行技術文献】
【特許文献】
【０００７】
【特許文献１】特開２００５−１８３３６７号公報
【発明の概要】
【発明が解決しようとする課題】
【０００８】
しかしながら、ＰＤＰの点灯検査における不灯は、その発生の有無が駆動回路や検査装置に依存する。これは、不灯になっている放電セルにおいては、放電に必要な電圧差（維持電極と走査電極間またはアドレス電極と走査電極間）と実際の電圧差の違いが小さく、駆動波形の僅かな違いにより実際の電圧差の違いが生じた場合に放電に必要な電圧差にならないため、正常に点灯しなくなるためである。
【０００９】
よって、点灯検査において不灯の発生の有無を正しく評価するためには、不灯の発生しやすい状態で検査を実施することが望ましい。
【００１０】
本発明は上記の課題を解決するためになされたものであり、ある工程で発生した不灯を高精度で検出することができる検査工程を有したＰＤＰの製造方法を提供することを目的とする。
【課題を解決するための手段】
【００１１】
上記の目的を達成するために、本発明のＰＤＰの製造方法は、前面基板上に複数の対となる走査電極および維持電極が配列され、背面基板上に複数のアドレス電極が配列され、走査電極および維持電極とアドレス電極とが直交するように、前面基板と背面基板とを対向配置して放電セルを形成したＰＤＰの製造方法において、放電セルの表示状態を確認するステップを含む検査工程を有し、ＰＤＰの通常の駆動方法および、前記放電セルの表示状態を確認するステップにおける駆動方法は、走査電極に緩やかな傾斜を持つ初期化波形を印加する初期化期間と、走査電極に初期化波形と逆極性の走査波形を順次に印加するとともに、アドレス電極に初期化波形と同極性のデータ波形を選択して印加する書き込み期間とを有し、かつ放電セルの表示状態を確認するステップにおける駆動方法は、初期化期間もしくは書込み期間の少なくともいずれかの期間に、維持電極に印加する電圧の設定値を変化させて行うことを特徴とする。
【００１２】
ここで、放電セルの表示状態を確認するステップにおける駆動方法は、書込み期間に、アドレス電極に印加する電圧の設定値を変化させて行ってもよい。また放電セルの表示状態を確認するステップにおける駆動方法は、初期化期間もしくは書込み期間の少なくともいずれかの期間に、維持電極に印加する電圧の設定値を、通常の駆動方法において、期間、維持電極に印加する電圧の設定値よりも低くして行ってもよい。
【発明の効果】
【００１３】
本発明によれば、ＰＤＰに発生した不灯を精度良く検出することができ、信頼性の高い検査を実施することができる。
【図面の簡単な説明】
【００１４】
【図１】本発明の実施形態におけるプラズマディスプレイパネルの部分斜視図
【図２】同パネルの電極配列図
【図３】同パネルの各電極に印加する駆動波形の例を示す図
【図４】同パネルの点灯検査装置のブロック構成を示す図
【図５】同パネルの点灯検査装置を示す図
【発明を実施するための形態】
【００１５】
以下、本発明のＰＤＰの検査方法について、図面を参照しながら説明する。
【００１６】
（実施の形態）
本発明の実施形態におけるＰＤＰの構造およびその駆動方法について図１〜３を用いて説明する。図１は本発明の実施形態に用いるパネルの要部を示す分解斜視図である。ＰＤＰ１０は、前面板と背面板とを対向配置して、その間に放電空間を形成するように構成されている。ガラス製の前面基板２１上には走査電極２２と維持電極２３とが互いに平行に対をなして複数形成されている。そして、走査電極２２および維持電極２３を覆うように誘電体層２４が形成され、誘電体層２４上には保護層２５が形成されている。保護層２５は、放電に必要な電荷を放出する役割を担っており、現在のパネルではＭｇＯ（酸化マグネシウム）薄膜層が一般的である。走査電極２２と維持電極２３とは表示電極対２６を構成し、走査電極２２および維持電極２３はそれぞれ、インジウムスズ酸化物（ＩＴＯ）等からなる透明電極と、その透明電極の上に形成された金属等からなるバス電極とにより構成されている。このように、前面基板２１上に走査電極２２、維持電極２３、誘電体層２４および保護層２５が形成されたものが前面板である。
【００１７】
また、ガラス製の背面基板３１上には複数のアドレス電極３２が平行に形成されている。そしてアドレス電極３２を覆うように誘電体層３３が形成され、誘電体層３３上に井桁状の隔壁３４が設けられている。また、誘電体層３３の表面および隔壁３４の側面には、赤色、緑色、青色に発光する蛍光体層３５Ｒ、３５Ｇ、３５Ｂが設けられている。このように、背面基板３１上にアドレス電極３２、誘電体層３３、隔壁３４および蛍光体層３５Ｒ、３５Ｇ、３５Ｂが形成されたものが背面板である。
【００１８】
そして、走査電極２２および維持電極２３とアドレス電極３２とが立体交差するように前面基板２１と背面基板３１とが対向配置されており、その間に形成される放電空間には、放電ガスとして、例えばネオンとキセノンの混合ガスが封入されている。なお、パネルの構造は上述したものに限られるわけではなく、例えばストライプ状の隔壁を備えたものであってもよい。
【００１９】
図２はＰＤＰ１０の電極配列図である。行方向にｎ本の走査電極２２およびｎ本の維持電極２３が配列され、列方向にｍ本のアドレス電極３２が配列されている。そして、１対の走査電極２２および維持電極２３と１つのアドレス電極３２とが立体交差した部分に放電セル１１が形成され、放電セル１１は放電空間内にｍ×ｎ個形成されている。
【００２０】
次に、ＰＤＰ１０の駆動方法について説明する。ＰＤＰ１０を駆動する方法としてはサブフィールド法が用いられている。これは、１フィールド期間を複数のサブフィールド（例えば第１ＳＦ、第２ＳＦ、・・・、第１０ＳＦ）に分割し、それぞれのサブフィールドで各放電セルの発光、非発光を制御することにより輝度表示を行う方法である。そして、サブフィールドのそれぞれは、初期化期間、書込み期間および維持期間を有する。図３はＰＤＰ１０の各電極に印加する駆動波形の一例を示す図である。なお、走査電極については１行目とｎ行目の走査電極に印加する駆動波形を示している。
【００２１】
第１ＳＦの初期化期間では、まずその前半部において、アドレス電極３２および維持電極２３を０（Ｖ）に保持し、走査電極２２に対して放電開始電圧以下となる電圧Ｖｉ１から放電開始電圧を超える電圧Ｖｉ２に向かって緩やかに上昇するランプ電圧を印加する。すると、すべての放電セルにおいて微弱な初期化放電を起こし、走査電極２２、維持電極２３およびアドレス電極３２上に壁電圧が蓄積される。ここで、電極上の壁電圧とは電極を覆う誘電体層上や蛍光体層上等に蓄積した壁電荷により生じる電圧を指す。
【００２２】
続いて初期化期間の後半部において、維持電極２３を正の電圧Ｖｅ１に保ち、走査電極２２に電圧Ｖｉ３から電圧Ｖｉ４に向かって緩やかに下降するランプ電圧を印加する。すると、すべての放電セルにおいて再び微弱な初期化放電を起こし、走査電極２２、維持電極２３およびアドレス電極３２上の壁電圧が書込み動作に適した値に調整される。ここで、Ｖｅ１の値が、壁電圧の値を決定する。Ｖｅ１が低くなると、壁電圧の値も小さくなり、維持放電が発生せず、点灯しないことになる。
【００２３】
なお、１フィールド期間を構成するサブフィールドのうちいくつかのサブフィールドでは初期化期間の前半部を省略してもよく、その場合には、直前のサブフィールドで維持放電を行った放電セルのみに対して初期化動作が行われる。図３には、第１ＳＦの初期化期間では前半部および後半部を有する初期化動作を行い、第２ＳＦの初期化期間では後半部のみ有する初期化動作を行う駆動波形図を示している。第３ＳＦ以降のサブフィールドの初期化期間では第２ＳＦの初期化期間と同じ駆動波形を各電極に印加する。
【００２４】
書込み期間では、まずすべての維持電極２３に電圧Ｖｅ２を印加し、すべての走査電極２２に電圧Ｖｃを印加する。そして、１行目に発光すべき放電セルのアドレス電極３２に電圧Ｖｄの書込みパルスを印加するとともに、１行目の走査電極２２に電圧Ｖａの走査パルスを印加する。すると、１行目に発光すべき放電セルで書込み放電が起こり、この放電セルの走査電極２２上に正の壁電圧、維持電極２３上に負の壁電圧が蓄積される。一方、書込みパルスを印加しなかったアドレス電極３２と走査電極２２との交差部では書込み放電は発生しない。以上の書込み動作をｎ行目の放電セルに至るまで順次行い、書込み期間が終了する。また、電圧Ｖｃは走査バイアス電圧であり、書込み放電により蓄積された壁電荷を保持する役割を担う。
【００２５】
続く維持期間では、維持電極２３を０（Ｖ）に戻し、走査電極２２に電圧Ｖｓの維持パルスを印加する。すると書込み放電を起こした放電セルにおいては、走査電極２２上と維持電極２３上との間の電圧は電圧Ｖｓに走査電極２２上および維持電極２３上の壁電圧の大きさが加算されたものとなり放電開始電圧を超え、走査電極２２と維持電極２３との間に維持放電が起こり発光する。このとき走査電極２２上に負の壁電圧が蓄積され、維持電極２３上に正の壁電圧が蓄積される。続いて走査電極２２を０（Ｖ）に戻し、維持電極２３に電圧Ｖｓの維持パルスを印加する。すると、維持放電を起こした放電セルでは、維持電極２３上と走査電極２２上との間の電圧が放電開始電圧を超えるので再び維持電極２３と走査電極２２との間に維持放電が起こり、維持電極２３上に負の壁電圧が蓄積され走査電極２２上に正の壁電圧が蓄積される。以降同様に、走査電極２２と維持電極２３とに交互に必要な数の維持パルスを印加することにより、書込み放電を起こした放電セルで維持放電が継続して行われる。なお、書込み放電が起きなかった放電セルでは維持放電は発生せず、初期化期間の終了時における壁電圧が保持される。こうして維持期間における維持動作が終了する。
【００２６】
続く第２ＳＦ以降のサブフィールドの書込み期間および維持期間では、第１ＳＦの書込み期間および維持期間における動作とほぼ同様の動作を行う。このようにして、放電セルのそれぞれをサブフィールド毎に発光、非発光を制御して、各サブフィールドの維持期間の発光を組み合わせて画像表示を行う。
【００２７】
次に、本発明の実施形態におけるＰＤＰの検査方法について、図面を用いて説明する。図４は、ＰＤＰ点灯検査装置の一例のブロック構成を示す図である。ＰＤＰ点灯検査装置は、ＰＤＰ１０が備えられる複数の表示電極を駆動させるための走査電極ドライバ１０２、維持電極ドライバ１０３と複数のアドレス電極を駆動させるためのアドレス電極ドライバ１０４、点灯を制御するための制御回路１０５、点灯パターンを格納するためのプログラマブルメモリー１０６、制御用ＰＣ１０７から構成される。
【００２８】
図５はＰＤＰ点灯検査装置である。ここで、図５において、全体ベース部１４０には、点灯検査を行うＰＤＰ１０の走査電極引き出し側に走査電極側接続点灯信号供給手段１１０が配置され、ＰＤＰ１０の維持電極引き出し側に維持電極側接続点灯信号供給手段１３０、ＰＤＰ１０のアドレス電極引き出し側にアドレス電極側接続点灯信号供給手段１２０が配置されている。またそれぞれの点灯信号供給手段は支持部１６０によって全体ベース部１４０に固定されている。そしてＰＤＰ１０を保持するためのＰＤＰ保持手段１５０が配置されている。
【００２９】
以下にその動作について説明する。図５において点灯検査該当ＰＤＰ１０が装着された後、走査電極側接続点灯信号供給手段１１０、アドレス電極側接続点灯信号供給手段１２０及び維持電極側接続点灯信号供給手段１３０は、ＰＤＰ１０の電極端子に接触され、走査電極側接続点灯信号供給手段１１０からは走査電極側点灯用信号が、アドレス電極側接続点灯信号供給手段１２０からはアドレス電極側点灯用信号が、維持電極側接続点灯信号供給手段１３０からは維持電極側点灯用信号が、各々ＰＤＰ１０に供給され、点灯表示が行われる。
【００３０】
信号としては、例えば、図３で示される波形を供給する。また、点灯検査が行われる際の表示パターンは、各検査項目に応じて予め決められ、検査手順に従って表示パターンを切替えて検査を行う。検査終了後は、ＰＤＰ１０の取り外し、交換が行われ、上記同様の動作で検査が繰り返される。
【００３１】
ここで、前述したように、放電セルの不灯については、駆動回路や検査装置により、その発生の有無が影響される。このため、放電セルの不灯を発生しやすくして検査し、検査の見逃しが起きないようにすることが、後工程、市場への不適合品流出防止のために、重要となる。
【００３２】
そこで、本発明の実施形態ではＰＤＰ１０の放電セルの表示状態を確認する点灯検査で用いる駆動方法（以下、検査駆動と称する）と、通常の画像表示用いる駆動方法（以下、通常駆動と称する）とで異なる電圧を印加するようにしている。
【００３３】
具体的には、検査駆動では図３の駆動波形におけるＶｅ１を通常駆動より下げている。これにより、書き込み放電後に蓄えられる壁電荷量が少なくなり、維持放電を発生させるための電圧差に到達させることが出来ない可能性が高くなり、維持放電を発生させるために必要な電圧が高い放電セルは不灯が発生しやすくなる。よって、点灯検査で不灯を見逃す可能性を低くすることができ、信頼性の高い不灯検査を実現できる。この電圧の下げ量については、５Ｖ程度の下げ量にすることが望ましい。これについては、Ｖｅ２についても同様の効果が得られる。
【００３４】
そして、Ｖｅ１を下げる代わりにＶｄを５Ｖ下げた場合も、書き込み放電に必要な電圧差に到達させることが出来ない可能性が高くなり、書き込み放電を発生させるために必要な電圧が高い放電セルは不灯が発生しやすくなる。よって、Ｖｅ１の場合と同じく、Ｖｄを下げた場合においても、不灯を高精度に検出することができる。
【００３５】
以上のように本発明のＰＤＰの製造方法は、前面基板上に複数の対となる走査電極および維持電極が配列され、背面基板上に複数のアドレス電極が配列され、走査電極および維持電極とアドレス電極とが直交するように、前面基板と背面基板とを対向配置して放電セルを形成したＰＤＰの製造方法において、放電セルの表示状態を確認するステップを含む検査工程を有し、ＰＤＰの通常の駆動方法および、前記放電セルの表示状態を確認するステップにおける駆動方法は、走査電極に緩やかな傾斜を持つ初期化波形を印加する初期化期間と、走査電極に初期化波形と逆極性の走査波形を順次に印加するとともに、アドレス電極に初期化波形と同極性のデータ波形を選択して印加する書き込み期間とを有し、かつ放電セルの表示状態を確認するステップにおける駆動方法は、初期化期間もしくは書込み期間の少なくともいずれかの期間に、維持電極に印加する電圧の設定値を変化させて行うことを特徴とする。
【００３６】
これによって、点灯検査における不灯の検出を高精度に、低コストで実施することができる。
【産業上の利用可能性】
【００３７】
以上の発明によれば、ＰＤＰの不灯の検出を高精度に行うことができ、ＰＤＰ検査方法を有した製造方法として有用である。
【符号の説明】
【００３８】
１０  ＰＤＰ
１１  放電セル
１０２  走査電極ドライバ
１０３  維持電極ドライバ
１０４  アドレス電極ドライバ
１０５  サブフィールド制御回路
１０６  プロブラマブルメモリ
１０７  制御用ＰＣ
１１０  走査電極側接続点灯信号供給手段
１２０  アドレス電極側接続点灯信号供給手段
１３０  維持電極側接続点灯信号供給手段
１４０  全体ベース部
１５０  ＰＤＰ保持手段
１６０  支持部
【図１】
2010251146.tif 000003
【図２】
2010251146.tif 000004
【図３】
2010251146.tif 000005
【図４】
2010251146.tif 000006
【図５】
2010251146.tif 000007